(57)【特許請求の範囲】
【請求項１】
陳列棚に載置される箱体の正面を含んで両側面に跨がり添設される情報シート(13)であり、前記箱体の正面に位置する正面表示情報(16)と前記箱体の両側面に位置する左右側面表示情報(17)(17)を施した表示シート(14)の表裏両面を、一対の透明又は半透明の合成樹脂製のラミネートシート(15)により被覆すると共にサンドイッチ状に一体化せしめられ、箱体(10)の正面と左右側面の間のコーナー部分に適合する折曲ガイド溝(19)(19)を一対のラミネートシート(15)の少なくとも一方に形成し、該折曲ガイド溝(19)(19)を介して折曲される正面シート部(13a)と左右側面シート部(13b)(13b)を備えた情報シート(13)の製造方法であり、
一側縁を基準位置ｓとして所定の距離ｄ１及びｄ２だけ離間した個所に正面表示情報(16)と左右側面表示情報(17)(17)の境界部(18)(18)を位置せしめた表示シート(14)を作成する工程と、
表示シート(14)を挟んで内包せしめる矩形の合成樹脂シートの相対向する内側面に溶着樹脂層(24)を積層したシート体により構成された一対のラミネートシート(15a)(15b)の一側縁を相互に溶着することにより溶着線２５を形成すると共に、一対のラミネートシート(15a)(15b)の少なくとも一方に、前記溶着線(25)を基準位置Ｓとしてそれぞれ前記距離ｄ１及びｄ２に等しい距離Ｄ１及びＤ２だけ離間した個所に該溶着線と平行な折曲ガイド溝(19)(19)を形成する工程と、
その後、一対のラミネートシート(15a)(15b)の間に表示シート(14)を内包されるように挿入すると共に、表示シート(14)の一側縁を前記溶着線(25)に当接せしめることにより、表示シート(14)の一対の境界部(18)(18)とラミネートシート(15)の一対の折曲ガイド溝(19)(19)を合致せしめる位置決め工程と、
表示シート(14)を内包した一対のラミネートシート(15a)(15b)を前記溶着線(25)を進行方向の前向きとして一対の溶着ローラ間に通過せしめることにより、表示シート(14)を挟んで一対のラミネートシート(15a)(15b)をサンドイッチ状に溶着一体化するラミネート実施工程と、
上記工程により得られた情報シート(13)を折曲ガイド溝(19)(19)に沿って折曲する折曲工程と、
から成ることを特徴とする情報シートの製造方法。
【請求項２】
陳列棚に載置される箱体の正面を含んで両側面に跨がり添設される情報シート(13)であり、前記箱体の正面に位置する正面表示情報(16)と前記箱体の両側面に位置する左右側面表示情報(17)(17)を施した表示シート(14)の表裏両面を、一対の透明又は半透明の合成樹脂製のラミネートシート(15)により被覆すると共にサンドイッチ状に一体化せしめられ、箱体(10)の正面と左右側面の間のコーナー部分に適合する折曲ガイド溝(19)(19)を表示シート(14)に形成し、該折曲ガイド溝(19)(19)を介して折曲される正面シート部(13a)と左右側面シート部(13b)(13b)を備えた情報シート(13)の製造方法であり、
一側縁を基準位置ｓとして所定の距離ｄ１及びｄ２だけ離間した個所に正面表示情報(16)と左右側面表示情報(17)(17)の境界部(18)(18)を位置せしめると共に、表裏両面のうち少なくとも一方の面に境界部(18)(18)に沿う折曲ガイド溝(19)(19)を形成した表示シート(14)を作成する工程と、
表示シート(14)を挟んで内包せしめる矩形の合成樹脂シートの相対向する内側面に溶着樹脂層(24)を積層したシート体により構成された一対のラミネートシート(15a)(15b)の一側縁を相互に溶着することにより溶着線(25)を形成すると共に、一対のラミネートシート(15a)(15b)の少なくとも一方に、前記溶着線(25)を基準位置Ｓとしてそれぞれ前記距離ｄ１及びｄ２に等しい距離Ｄ１及びＤ２だけ離間した個所に予定された境界部(18)(18)を構成せしめる工程と、
その後、一対のラミネートシート(15a)(15b)の間に表示シート(14)を内包されるように挿入すると共に、表示シート(14)の一側縁を前記溶着線(25)に当接せしめることにより、表示シート(14)の一対の折曲ガイド溝(19)(19)とラミネートシート(15)に予定された一対の境界部(18)(18)を合致せしめる位置決め工程と、
表示シート(14)を内包した一対のラミネートシート(15a)(15b)を前記溶着線(25)を進行方向の前向きとして一対の溶着ローラ間に通過せしめることにより、表示シート(14)を挟んで一対のラミネートシート(15a)(15b)をサンドイッチ状に溶着一体化するラミネート実施工程と、
上記工程により得られた情報シート(13)を折曲ガイド溝(19)(19)に沿って折曲する折曲工程と、
から成ることを特徴とする情報シートの製造方法。
【発明の詳細な説明】
【０００１】
【発明の属する技術分野】
本発明は、各種の箱体における情報表示装置に関し、該情報表示装置を構成する情報シートの製造方法に関する。
【０００２】
【従来の技術】
従来、例えば、レンタルビデオショップにおいて、ケース入りビデオカセットの商品を陳列棚に展示する際、陳列棚の上に商品を格納ソフトのカテゴリーないしジャンル別に分けることにより横並び列設状に載置せしめることが行われている。このような展示陳列方法は、その他、ケース入りＣＤやＤＶＤ等の商品についても同様であり、更に、書籍等の商品においても同様とされている。
【０００３】
そこで、店舗内においてジャンル別に陳列された商品を顧客が探し出す際の便宜のため、陳列棚に、商品と共に箱体を載置し、該箱体に表示された情報を顧客に知らしめるように工夫されている。
【０００４】
図５に基づいて、従来の情報表示装置を説明すると、図５（Ａ）に示すように、箱体１は、陳列棚に載置された状態で少なくとも正面に位置する正面壁２と左右側面に位置する左右側面壁３、３を備えた概ね直方体形状に形成されており、上述のようなジャンル情報等を目視可能に表示した情報シート４を前記正面壁２を含んで左右側面壁３、３に跨がり添設している。尚、情報シート４には、正面壁２に位置する正面表示情報５と、左右側面壁３、３に位置する側面表示情報６が施されており、ジャンル別に分けて陳列された商品Ｍの傍らに箱体１を設置することにより、情報表示装置として機能する。
【０００５】
情報シート４を箱体１の外側面に添設するため、箱体１には、正面壁２を含んで左右側面壁３、３に跨がる透明のカバーシート７が設けられ、カバーシート７の両側端縁を左右側面壁３、３の端縁に溶着８せしめ、箱体１の壁２及び３、３とカバーシート７の間に情報シート４を挿入できるように構成している。
【０００６】
箱体１は、図５（Ｂ）に示すように、正面壁２を挟んで左右側面壁３、３を開閉できるように構成されており、左右側面壁３、３を開くと、カバーシート７が弛むので、これにより情報シート４の挿脱を可能ならしめる。そして、情報シート４を挿入した状態で、左右側面壁３、３を閉じると、カバーシート７が緊張することにより、情報シート４を保持する。
【０００７】
【発明が解決しようとする課題】
従来技術において、カバーシート７は、左右側面壁３、３の開閉により緊張と弛みを可能にする必要があるため、ビニール系等のような柔軟な合成樹脂シートにより形成されている。このため、店舗における繰り返し使用により、カバーシート７は、容易に損傷し、特に、表面に多数の微小な傷を容易に形成されるので、曇り状となり透明度を低下する。
【０００８】
そこで、このように劣化したカバーシート７は、店舗での使用に耐え得ず、新品と交換すべき必要があるが、上述のようにカバーシート７は箱体１に溶着８されているため、カバーシート７だけを交換することができず、箱体１の全体を廃棄し、交換しなければならないのが現状である。
【０００９】
ところが、合成樹脂により成形された箱体を廃棄することは、廃棄物処理に関する産業上の問題があり、また、利用者においても、箱体を全体として交換するため、コスト上の問題がある。
【００１０】
【課題を解決するための手段】
本発明は、上記課題を解決した箱体における情報表示装置を構成する情報シートの製造方法を提供するものである。
【００１１】
そこで、本発明が第一の手段として構成したところは、陳列棚に載置される箱体の正面を含んで両側面に跨がり添設される情報シート１３であり、前記箱体の正面に位置する正面表示情報１６と前記箱体の両側面に位置する左右側面表示情報１７、１７を施した表示シート１４の表裏両面を、一対の透明又は半透明の合成樹脂製のラミネートシート１５により被覆すると共にサンドイッチ状に一体化せしめられ、箱体１０の正面と左右側面の間のコーナー部分に適合する折曲ガイド溝１９、１９を一対のラミネートシート１５の少なくとも一方に形成し、該折曲ガイド溝１９、１９を介して折曲される正面シート部１３ａと左右側面シート部１３ｂ、１３ｂを備えた情報シート１３の製造方法であり、一側縁を基準位置ｓとして所定の距離ｄ１及びｄ２だけ離間した個所に正面表示情報１６と左右側面表示情報１７、１７の境界部１８、１８を位置せしめた表示シート１４を作成する工程と、表示シート１４を挟んで内包せしめる矩形の合成樹脂シートの相対向する内側面に溶着樹脂層２４を積層したシート体により構成された一対のラミネートシート１５ａ、１５ｂの一側縁を相互に溶着することにより溶着線２５を形成すると共に、一対のラミネートシート１５ａ、１５ｂの少なくとも一方に、前記溶着線２５を基準位置Ｓとしてそれぞれ前記距離ｄ１及びｄ２に等しい距離Ｄ１及びＤ２だけ離間した個所に該溶着線と平行な折曲ガイド溝１９、１９を形成する工程と、その後、一対のラミネートシート１５ａ、１５ｂの間に表示シート１４を内包されるように挿入すると共に、表示シート１４の一側縁を前記溶着線２５に当接せしめることにより、表示シート１４の一対の境界部１８、１８とラミネートシート１５の一対の折曲ガイド溝１９、１９を合致せしめる位置決め工程と、表示シート１４を内包した一対のラミネートシート１５ａ、１５ｂを前記溶着線２５を進行方向の前向きとして一対の溶着ローラ間に通過せしめることにより、表示シート１４を挟んで一対のラミネートシート１５ａ、１５ｂをサンドイッチ状に溶着一体化するラミネート実施工程と、上記工程により得られた情報シート１３を折曲ガイド溝１９、１９に沿って折曲する折曲工程とから成る点にある。
【００１２】
また本発明が第二の手段として構成したところは、陳列棚に載置される箱体の正面を含んで両側面に跨がり添設される情報シート１３であり、前記箱体の正面に位置する正面表示情報１６と前記箱体の両側面に位置する左右側面表示情報１７、１７を施した表示シート１４の表裏両面を、一対の透明又は半透明の合成樹脂製のラミネートシート１５により被覆すると共にサンドイッチ状に一体化せしめられ、箱体１０の正面と左右側面の間のコーナー部分に適合する折曲ガイド溝１９、１９を表示シート１４に形成し、該折曲ガイド溝１９、１９を介して折曲される正面シート部１３ａと左右側面シート部１３ｂ、１３ｂを備えた情報シート１３の製造方法であり、一側縁を基準位置ｓとして所定の距離ｄ１及びｄ２だけ離間した個所に正面表示情報１６と左右側面表示情報１７、１７の境界部１８、１８を位置せしめると共に、表裏両面のうち少なくとも一方の面に境界部１８、１８に沿う折曲ガイド溝１９、１９を形成した表示シート１４を作成する工程と、表示シート１４を挟んで内包せしめる矩形の合成樹脂シートの相対向する内側面に溶着樹脂層２４を積層したシート体により構成された一対のラミネートシート１５ａ、１５ｂの一側縁を相互に溶着することにより溶着線２５を形成すると共に、一対のラミネートシート１５ａ、１５ｂの少なくとも一方に、前記溶着線２５を基準位置Ｓとしてそれぞれ前記距離ｄ１及びｄ２に等しい距離Ｄ１及びＤ２だけ離間した個所に予定された境界部１８、１８を構成せしめる工程と、その後、一対のラミネートシート１５ａ、１５ｂの間に表示シート１４を内包されるように挿入すると共に、表示シート１４の一側縁を前記溶着線２５に当接せしめることにより、表示シート１４の一対の折曲ガイド溝１９、１９とラミネートシート１５に予定された一対の境界部１８、１８を合致せしめる位置決め工程と、表示シート１４を内包した一対のラミネートシート１５ａ、１５ｂを前記溶着線２５を進行方向の前向きとして一対の溶着ローラ間に通過せしめることにより、表示シート１４を挟んで一対のラミネートシート１５ａ、１５ｂをサンドイッチ状に溶着一体化するラミネート実施工程と、前記工程により得られた情報シート１３を折曲ガイド溝１９、１９に沿って折曲する折曲工程とから成る点にある。
【００１３】
【発明の実施の形態】
以下図面に基づいて本発明の好ましい実施形態を詳述する。
【００１４】
先ず、本発明により製造された情報シートを用いた情報表示装置を説明する。図１（Ｃ）に示すように、箱体１０は、起立した状態で陳列棚に載置できるように概ね直方体形状に形成されている。従って、通常は、底壁と頂壁、右側壁と左側壁、正面壁と背面壁の６面壁を有するが、上述したようなジャンル別に分けて陳列される商品のジャンルを表示する情報表示装置としては、少なくとも正面に位置する正面壁１１と左右側面に位置する左右側面壁１２、１２を備えたものであれば良く、剛性のある合成樹脂により一体成形されている。
【００１５】
そこで、図２（Ａ）又は図２（Ｂ）に示すように、箱体１０には、目視可能な情報を表示した情報シート１３が正面壁１１を含んで左右側面壁１２、１２に跨がり添設される。情報シート１３は、図１（Ａ）に示すように、表示シート１４の表裏両面を一対の透明又は半透明の合成樹脂製のラミネートシート１５により被覆すると共にサンドイッチ状に一体化せしめることにより構成されている。
【００１６】
表示シート１４は、矩形（好ましくは長方形）の紙又は合成紙から成り、その表面に対して印刷等により、箱体の正面壁１１に位置せしめられる正面表示情報１６と、左右側面壁１２、１２に位置せしめられる左右側面表示情報１７、１７を設けており、正面表示情報１６と左右側面表示情報１７、１７の間に境界部１８、１８を有する。
【００１７】
一対とされた二枚のラミネートシート１５は、従来のカバーシート７のような軟質の合成樹脂よりも比較的硬く可撓性を有するポリプロピレンやポリエチレン等の合成樹脂から成り、表示シート１４を挟んでサンドイッチ状に溶着一体化されると共に、表裏のラミネートシート１５のうち少なくとも一方のシート及び／又は表示シート１４に対して、前記境界部１８、１８に合致する折曲ガイド溝１９を設けている。折曲ガイド溝１９は、ラミネートシート１５及び／又は表示シート１４の表面を治具の尖鋭な先端により線引きした一直線状の溝や、断続的な線状の溝により形成することができるが、その他、ミシン目により形成しても良く、更にはラミネートシート１５及び／又は表示シート１４を断面Ｖ形に折曲することで折曲癖を形成した折線により構成しても良い。
【００１８】
そこで、情報シート１３は、図１（Ｂ）に示すように、折曲ガイド溝１９、１９を介して折曲される。折曲ガイド溝１９、１９は、箱体１０の正面壁１１と左右側面壁１２の間のコーナーエッジ１１ａ、１１ａに適合するように設けられており、従って、図１（Ｄ）に示すように、折曲された情報シート１３は、箱体１０の正面壁１１に沿う正面シート部１３ａと、左右側面壁１２、１２に沿う左右側面シート部１３ｂ、１３ｂを形成する。上述のように、情報シート１３は、比較的硬質とされた可撓性の合成樹脂から成るラミネートシート１５を表示シート１４の表裏両面に溶着一体化することにより、全体として更に硬化せしめられた剛性のある可撓性の板状シートを構成するので、折曲ガイド溝１９、１９により断面コ字形に折曲された後は、該コ字形の形態を自己保持する。
【００１９】
このようなコ字形の情報シート１３は、正面シート部１３ａを箱体１０の正面壁１１に重ね合わせると共に、左右側面シート部１３ｂ、１３ｂを箱体１０の左右側面壁１２、１２に重ね合わせた状態で、該情報シート１３の一部を箱体１０に固着され、図２（Ａ）又は図２（Ｂ）に示すような情報表示装置２０が提供される。
【００２０】
情報シート１３を箱体１０に固着するための手段は、特に限定されるものではなく、具体例をあげると枚挙にいとまがないが、完全固着する手段と、着脱可能に固着する手段の何れを採用しても良い。
【００２１】
図２（Ａ）は、完全固着する場合の手段の１例を示しており、情報シート１３における左右側面シート部１３ｂ、１３ｂの端縁を箱体１０の左右側面壁１２、１２に溶着２１している。
【００２２】
図２（Ｂ）は、着脱可能に固着する場合の手段の１例を示しており、情報シート１３における左右側面シート部１３ｂ、１３ｂの端縁と箱体１０の左右側面壁１２、１２に、相互に合致せしめられる孔２２を形成し、該孔２２に止具２３を挿脱自在に嵌着している。
【００２３】
従って、情報表示装置２０は、図４に基づき説明した従来技術のようなカバーシート７を有しておらず、箱体１０の外側面に情報シート１３を直接に添設している。この際、情報シート１３は、表示シート１４の表裏両面を比較的硬質の樹脂から成るラミネートシート１５により被覆しており、しかも、サンドイッチ状に溶着一体化することにより更に硬化された剛性を有する可撓性の板状シートを構成しているので、従来の柔軟なカバーシート７のように容易に傷つき曇り状となることはなく、永年使用によっても透明度と美麗な外観を維持できる。
【００２４】
そして、図２（Ｂ）に例示したような着脱可能な固着手段を設けておけば、箱体１０に対して情報シート１３を自在に交換することができるので、利用者において、表示情報１６、１７の異なる情報シート１３を任意に選択することにより箱体１０に添設できるという便利がある。
【００２５】
（情報シートの構造及び製造方法の第１実施形態）
図３は、上述した本発明に係る情報シート１３の構造及び製造方法に関する第１実施形態を示している。図３（Ａ）に示すように、表示シート１４は、横幅Ｗ１及び縦幅Ｈ１の寸法を有する矩形（好ましくは長方形）のシート状であり、一側縁を基準位置ｓとして所定の距離ｄ１及びｄ２（但しｄ１＜ｄ２であり、ｄ２−ｄ１が箱体１０の正面壁１１の幅寸法Ｗと一致する）だけ離間した個所に正面表示情報１６と左右側面表示情報１７、１７の境界部１８、１８を位置せしめている。
【００２６】
一対のラミネートシート１５ａ、１５ｂは、それぞれ横幅Ｗ２及び縦幅Ｈ２の寸法を有する矩形（好ましくは長方形）の樹脂シートであり、表示シート１４を挟んで内包せしめる大きさ、即ち、図示のようにＷ２＞Ｗ１、Ｈ２＞Ｈ１とされる大きさに形成されており、両シート１５ａ、１５ｂの相対向する内側面に溶融樹脂層２４を積層したシート体を構成している。そして、両シート１５ａ、１５ｂの一側縁を相互に予め溶着することにより溶着線２５を備え、該溶着線２５を基準位置Ｓとしてそれぞれ前記表示シート１４における境界部の距離ｄ１及びｄ２に等しい距離Ｄ１及びＤ２だけ離間した個所に該溶着線２５と平行な折曲ガイド溝１９、１９を形成している。尚、図例の場合、折曲ガイド溝１９、１９を一対のラミネートシート１５ａ、１５ｂの両方に形成しているが、少なくとも何れか一方（表側のシート１５ａ又は裏側の１５ｂ）に形成しておけば良い。
【００２７】
そこで、位置決め工程を実施する。即ち、一対のラミネートシート１５ａ、１５ｂの間に表示シート１４を内包されるように挿入すると共に、表示シート１４の一側縁（基準位置ｓ）を両シート１５ａ、１５ｂの溶着線２５（基準位置Ｓ）に当接せしめる。この状態において、表裏のラミネートシート１５ａ、１５ｂは表示シート１４の上で捲ることにより離反自在であるが、表示シート１４の境界部１８、１８とラミネートシート１５ａ及び／又は１５ｂの折曲ガイド溝１９、１９が相互に合致せしめられている。
【００２８】
このような位置決め工程の後、ラミネート実施工程が実施される。即ち、表示シート１４を内包した一対のラミネートシート１５ａ、１５ｂを前記溶着線２５を進行方向の前向きとして一対の溶着ロール間に通過せしめることにより、表示シート１４を挟んで一対のラミネートシート１５ａ、１５ｂをサンドイッチ状に溶着一体化せしめる。表示シート１４を挟んだラミネートシート１５ａ、１５ｂは、溶着ロールに進入するや否や溶融樹脂層２４を溶融せしめると共に表示シート１４に含浸せしめ、サンドイッチ状の溶着一体化を開始し、その後、溶着ロール間における進行に伴い、内部のエアーを進行方向の後向きに排出せしめながら全面にわたる溶着一体化を実行する。この際、溶着ロール間の通過と同時又は通過の後、表示シート１４の周縁の外側においてラミネートシート１５ａ、１５ｂの周縁１５ｘが分断され廃棄される。
【００２９】
以上の工程を経ることにより形成された情報シート１３は、図３（Ｂ）（Ｃ）に示すように、溶融により含浸された樹脂接着剤層２６を介してサンドイッチ状に溶着一体化された表示シート１４の境界部１８、１８とラミネートシート１５の折曲ガイド溝１９、１９を相互に正確に合致せしめている。このため、折曲ガイド溝１９、１９を介して折曲することにより、剛性化された板状の情報シート１３を規則正しく美麗に折曲することができ、折曲線を箱体１０のコーナーエッジ１１ａ、１１ａに沿わしめることが可能となり、しかも、境界部１８、１８に沿って折曲することができるので、正面表示情報１６を表示した正面シート部１３ａと、左右側面表示情報１７、１７を表示した左右側面シート部１３ｂ、１３ｂとを、境界部１８、１８に一致して折曲された折曲線により区画せしめることが可能になる。
【００３０】
（情報シートの構造及び製造方法の第２実施形態）
図４は、上述した本発明に係る情報シート１３の構造及び製造方法に関する第２実施形態を示している。図４（Ａ）に示すように、表示シート１４は、横幅Ｗ１及び縦幅Ｈ１の寸法を有する矩形（好ましくは長方形）のシート状であり、一側縁を基準位置ｓとして所定の距離ｄ１及びｄ２（但しｄ１＜ｄ２であり、ｄ２−ｄ１が箱体１０の正面壁１１の幅寸法Ｗと一致する）だけ離間した個所に正面表示情報１６と左右側面表示情報１７、１７の境界部１８、１８を位置せしめており、該境界部１８、１８に沿って折曲ガイド溝１９、１９を形成している。尚、図例の場合、折曲ガイド溝１９、１９を表示シート１４の表裏両面に形成しているが、表裏面の少なくとも何れか一方に形成しておけば良い。
【００３１】
一対のラミネートシート１５ａ、１５ｂは、それぞれ横幅Ｗ２及び縦幅Ｈ２の寸法を有する矩形（好ましくは長方形）の樹脂シートであり、表示シート１４を挟んで内包せしめる大きさ、即ち、図示のようにＷ２＞Ｗ１、Ｈ２＞Ｈ１とされる大きさに形成されており、両シート１５ａ、１５ｂの相対向する内側面に溶融樹脂層２４を積層したシート体を構成している。そして、両シート１５ａ、１５ｂの一側縁を相互に予め溶着することにより溶着線２５を備え、該溶着線２５を基準位置Ｓとしてそれぞれ前記表示シート１４における境界部の距離ｄ１及びｄ２に等しい距離Ｄ１及びＤ２だけ離間した個所を前述した表示シート１４の折曲ガイド溝１９、１９と合致せしめられるべき境界部１８、１８としている。
【００３２】
そこで、位置決め工程を実施する。即ち、一対のラミネートシート１５ａ、１５ｂの間に表示シート１４を内包されるように挿入すると共に、表示シート１４の一側縁（基準位置ｓ）を両シート１５ａ、１５ｂの溶着線２５（基準位置Ｓ）に当接せしめる。この状態において、表裏のラミネートシート１５ａ、１５ｂは表示シート１４の上で捲ることにより離反自在であるが、表示シート１４の境界部１８、１８に形成された折曲ガイド溝１９、１９がラミネートシート１５ａ、１５ｂに予定された境界部１８、１８に合致せしめられる。
【００３３】
このような位置決め工程の後、ラミネート実施工程が実施される。即ち、表示シート１４を内包した一対のラミネートシート１５ａ、１５ｂを前記溶着線２５を進行方向の前向きとして一対の溶着ロール間に通過せしめることにより、表示シート１４を挟んで一対のラミネートシート１５ａ、１５ｂをサンドイッチ状に溶着一体化せしめる。表示シート１４を挟んだラミネートシート１５ａ、１５ｂは、溶着ロールに進入するや否や溶融樹脂層２４を溶融せしめると共に表示シート１４に含浸せしめ、サンドイッチ状の溶着一体化を開始し、その後、溶着ロール間における進行に伴い、内部のエアーを進行方向の後向きに排出せしめながら全面にわたる溶着一体化を実行する。この際、溶着ロール間の通過と同時又は通過の後、表示シート１４の周縁の外側においてラミネートシート１５ａ、１５ｂの周縁１５ｘが分断され廃棄される。
【００３４】
以上の工程を経ることにより形成された情報シート１３は、図４（Ｂ）（Ｃ）に示すように、溶融により含浸された樹脂接着剤層２６を介してサンドイッチ状に溶着一体化された表示シート１４とラミネートシート１５ａ、１５ｂの間において、それぞれに予定された境界部１８、１８を相互に合致せしめると共に、境界部１８、１８に対して折曲ガイド溝１９、１９を合致せしめられている。このため、折曲ガイド溝１９、１９を介して折曲することにより、剛性化された板状の情報シート１３を規則正しく美麗に折曲することができ、折曲線を箱体１０のコーナーエッジ１１ａ、１１ａに沿わしめることが可能となり、しかも、境界部１８、１８に沿って折曲することができるので、正面表示情報１６を表示した正面シート部１３ａと、左右側面表示情報１７、１７を表示した左右側面シート部１３ｂ、１３ｂとを、境界部１８、１８に一致して折曲された折曲線により区画せしめることが可能になる。
【００３５】
【発明の効果】
以上の通り、本発明により製造された情報シート１３によれば、従来のような軟質のカバーシート７のように表面が容易に傷つき曇り状となるようなことはない。即ち、情報シート１３は、表示シート１４の表裏両面を比較的硬質の樹脂から成るラミネートシート１５により被覆しており、しかも、サンドイッチ状に溶着一体化することにより更に硬化された剛性のある板状シートを構成しているので、表面が傷つき難く、永年使用によっても透明度と美麗な外観を維持できる。
【００３６】
ところで、情報シート１３を剛性のある板状シートとなるように形成せしめた場合、箱体１０のコーナーエッジ１１ａ、１１ａ等のコーナー部分に沿うように好適に折曲することが困難であり、しかも、折曲線が正面表示情報１６と左右側面表示情報１７、１７の境界部１８、１８から外れた位置に形成され易い。
これに対して、本発明によれば、一対のラミネートシート１５ａ、１５ｂが予め溶着線２５により結合されているので取り扱いが容易であるばかりか、両ラミネートシート１５ａ、１５ｂの間に表示シート１４を内包されるように挿入する位置決め工程に際して、表示シート１４の基準位置ｓとされた一側縁をラミネートシート１５ａ、１５ｂの基準位置Ｓとされた前記溶着線２５に当接せしめれば、表示シート１４とラミネートシート１５ａ、１５ｂの相互において境界部１８、１８と折曲ガイド溝１９、１９が合致されるので、その後のラミネート実施工程を経て得られた情報表示シート１３は、サンドイッチ状に溶着一体化された表示シート１４の境界部１８、１８とラミネートシート１５の折曲ガイド溝１９、１９を相互に正確に合致せしめている。従って、折曲ガイド溝１９、１９を介して剛性化された板状の情報シート１３を規則正しく美麗に折曲し、折曲線を箱体１０のコーナーエッジ１１ａ、１１ａに沿わしめることが可能になり、その際、このような折曲は、境界部１８、１８と一致しているので、正面表示情報１６を表示した正面シート部１３ａと、左右側面表示情報１７、１７を表示した左右側面シート部１３ｂ、１３ｂとを、相互に境界部１８、１８に沿って折曲された折曲線により所望の通りに区画せしめた状態で好適に折曲できるという効果がある。
そして、本発明によれば、ラミネート実施工程は、表示シート１４を内包した一対のラミネートシート１５ａ、１５ｂを前記溶着線２５を進行方向の前向きとして一対の溶着ローラ間に通過せしめることにより実施されるので、溶着ロール間における進行に伴い、内部のエアーを進行方向の後向きに排出せしめることができ、全面にわたるサンドイッチ状の溶着一体化を良好に実行することができるという効果がある。
【００３７】
尚、上記の説明においては、ジャンル別に分けられた商品のための情報を提供する情報表示装置２０について説明したが、本発明は、ビデオカセットやＣＤ又はＤＶＤ等を収納した外装ケースとしての箱体に対しても実施できることを諒解されたい。
【図面の簡単な説明】
【図１】本発明により製造した情報シートを用いた箱体における情報表示装置の１実施形態を示しており、（Ａ）は折曲前の状態における情報シートを示す斜視図、（Ｂ）は折曲後の状態における情報シートを示す斜視図、（Ｃ）は情報シートを添設するための箱体を示す斜視図、（Ｄ）は折曲された情報シートと箱体の関係を示す斜視図である。
【図２】本発明の情報表示装置において情報シートを箱体に固着するための手段の実施形態を示しており、（Ａ）は完全固着する手段の１例を示す斜視図、（Ｂ）は着脱自在に固着する手段の１例を示す斜視図である。
【図３】本発明に係る情報シートの製造方法の第１実施形態を示しており、（Ａ）は表示シートとラミネートシートの関係を示す斜視図、（Ｂ）は溶着一体化された情報シートを示す斜視図、（Ｃ）は情報シートの折曲部分を拡大して示す断面図である。
【図４】本発明に係る情報シートの製造方法の第２実施形態を示しており、（Ａ）は表示シートとラミネートシートの関係を示す斜視図、（Ｂ）は溶着一体化された情報シートを示す斜視図、（Ｃ）は情報シートの折曲部分を拡大して示す断面図である。
【図５】従来の情報表示装置を示しており、（Ａ）はジャンル別に分けられた商品のための情報を提供する情報表示装置の斜視図、（Ｂ）はカバーシートを備えた箱体と表示シートの関係を示す斜視図である。
【符号の説明】
１０    箱体
１１    正面壁
１１ａ  コーナーエッジ
１２    左右側面壁
１３    情報シート
１３ａ  正面シート部
１３ｂ  左右側面シート部
１４    表示シート
１５（１５ａ、１５ｂ）  ラミネートシート
１６    正面表示情報
１７    左右側面表示情報
１８    境界部
１９    折曲ガイド溝
２０    情報表示装置
２４    溶着樹脂層
２５    溶着線
【図１】
0003634817.tif 000002
【図２】
0003634817.tif 000003
【図３】
0003634817.tif 000004
【図４】
0003634817.tif 000005
【図５】
0003634817.tif 000006